(57)【特許請求の範囲】
【請求項１】
楽曲を再生する再生処理部と、声を集音するマイクとが一体型である携帯端末装置に含まれるコンピュータに、
前記楽曲の歌詞テロップを表示するテロップ表示モードと、前記楽曲を歌唱する前記ユーザの歌唱を採点する採点モードとの何れか一方のモードを決定する決定ステップと、
前記決定ステップにより前記テロップ表示モードが決定された場合、前記楽曲の歌詞テロップを表示画面に表示させ、前記決定ステップにより前記採点モードが決定された場合、前記携帯端末装置に一体型で配置された前記マイクの位置を示すマイク情報を表示画面に表示させる表示ステップと、
を実行させることを特徴とする携帯端末装置用プログラム。
【請求項２】
前記マイクは前記表示画面に沿って、前記表示画面の一端に配置され、
前記採点モードが決定された場合、前記マイク情報は、前記マイクの集音部と前記マイクの持ち手部を表すマイク画像として前記表示画面に表示され、
前記表示ステップは、前記マイク画像を前記表示画面に表示させる場合に、前記表示画面の一端方向で且つ前記マイクの配置方向に前記マイクの集音部を表す画像を表示させ、前記一端方向とは反対の他端方向に前記マイクの持ち手部を表す画像を表示させることを特徴とする請求項１に記載の携帯端末装置用プログラム。
【請求項３】
前記携帯端末装置は、重力センサまたは加速度センサを備え、
前記携帯端末装置は、前記重力センサまたは前記加速度センサによる検出結果に基づいて、前記携帯端末装置の表示画面に表示させる画像を回転させる回転機能を有し、
前記決定ステップにより前記採点モードが決定された場合、前記回転機能をロックするステップを前記コンピュータにさらに実行させ、
前記表示ステップは、前記決定ステップにより前記テロップ表示モードが決定された場合、前記回転機能により回転可能に前記歌詞テロップを表示画面に表示させ、前記決定ステップにより前記採点モードが決定された場合、前記回転機能がロックされた状態で、前記マイク画像を表示画面に表示させることを特徴とする請求項２に記載の携帯端末装置用プログラム。
【請求項４】
前記採点モードが決定された場合、前記マイクにより集音された声に基づく採点状況に応じて、前記携帯端末装置に備えられる振動発生部に振動を発生させるステップと、
を前記コンピュータに実行させることを特徴とする請求項１から３のいずれか一項に記載の携帯端末装置用プログラム。
【請求項５】
前記採点モードが決定された場合、前記マイクにより集音された声の音量が閾値より小さいか否かを判定する第２判定ステップと、
前記第２判定ステップにより閾値より小さいと判定された場合に、前記マイクにユーザの口元を近づけることを促す情報を前記表示画面に表示させるステップと、
を前記コンピュータに実行させることを特徴とする請求項１から３のいずれか一項に記載の携帯端末装置用プログラム。
【請求項６】
前記採点モードが決定された場合、前記マイクにより集音された声の大小を判定する第１判定ステップと、
前記携帯端末装置とは別体であるイヤホン付マイクまたはヘッドホン付マイクが、ケーブルまたは無線通信により前記携帯端末装置に電気的に接続されているか否かを判定する第３判定ステップと、
前記イヤホン付マイクまたはヘッドホン付マイクにより集音された声の大小を判定する第４判定ステップと、
前記第３判定ステップにより前記イヤホン付マイクまたはヘッドホン付マイクが接続されていると判定された場合に、前記第４判定ステップによる判定結果に応じて、前記ユーザに声を大きく又は小さくすることを促す情報を前記表示画面に表示させ、前記第３判定ステップにより前記イヤホン付マイクまたはヘッドホン付マイクが接続されていないと判定された場合に、前記第１判定ステップによる判定結果に応じて、前記携帯端末装置に備えられる振動発生部に振動を発生させるステップと、
を前記コンピュータに実行させることを特徴とする請求項１から３のいずれか一項に記載の携帯端末装置用プログラム。
【請求項７】
楽曲を再生する再生処理部と、声を集音するマイクとが一体型である携帯端末装置において、
前記楽曲の歌詞テロップを表示するテロップ表示モードと、前記楽曲を歌唱する前記ユーザの歌唱を採点する採点モードと、を切り替える切替制御手段と、
前記テロップ表示モードと、前記採点モードとの何れかのモードを決定する決定手段と、
前記決定手段により前記テロップ表示モードが決定された場合、前記楽曲の歌詞テロップを表示画面に表示させ、前記決定手段により前記採点モードが決定された場合、前記携帯端末装置に一体型で配置された前記マイクの位置を示すマイク情報を表示画面に表示させる表示制御手段と、
を備えることを特徴とする携帯端末装置。
【請求項８】
楽曲を再生する再生処理部と、声を集音するマイクとが一体型である携帯端末装置により実行される表示方法であって、
前記楽曲の歌詞テロップを表示するテロップ表示モードと、前記楽曲を歌唱する前記ユーザの歌唱を採点する採点モードとの何れか一方のモードを決定するステップと、
前記決定ステップにより前記テロップ表示モードが決定された場合、前記楽曲の歌詞テロップを表示画面に表示させ、前記決定ステップにより前記採点モードが決定された場合、前記携帯端末装置に一体型で配置された前記マイクの位置を示すマイク情報を表示画面に表示させるステップと、
を含むことを特徴とする表示方法。
【発明の詳細な説明】
【技術分野】
【０００１】
本発明は、楽曲を再生する再生部と、ユーザの声を集音するマイクを備える携帯端末装置の技術分野に関する。
【背景技術】
【０００２】
近年、カラオケ機能を搭載する携帯端末装置が知られている。このような携帯端末装置を用いてカラオケを行う場合、携帯端末装置は、携帯端末装置のディスプレイに楽曲の歌詞テロップを表示し、携帯端末装置のマイクによりユーザが歌唱する声を集音するようになっている。さらに、マイクにより集音されたユーザの声に基づいてユーザの歌唱を自動的に採点する携帯端末装置が知られている（特許文献１参照）。
【先行技術文献】
【特許文献】
【０００３】
【特許文献１】特開２００６−１６２７７８号公報
【発明の概要】
【発明が解決しようとする課題】
【０００４】
ところで、特許文献１に開示されたような、ディスプレイとマイクとが一体型の携帯端末装置でカラオケを行う場合、ユーザが歌詞テロップを見ながらでは、歌唱音を発生するユーザの口元とマイクとの位置が遠く正確に集音できない場合がある。このため、携帯端末装置がユーザの歌唱を採点する場合において、ユーザの歌唱を正確に入力し、採点することができない場合があった。これは、ユーザが歌詞テロップを見るために、ユーザの口元がマイクから離れてしまうことがあるためである。
【０００５】
そこで、本発明は、以上の点等に鑑みてなされたものであり、ユーザが楽曲の歌詞テロップを見ながら歌唱したい場合と、歌唱を採点させたい場合とで使い分けることができ、ユーザの歌唱を正確に採点することが可能な携帯端末装置用プログラム、携帯端末装置、及び表示方法を提供する。
【課題を解決するための手段】
【０００６】
上記課題を解決するために、請求項１に記載の携帯端末装置用プログラムの発明は、楽曲を再生する再生処理部と、声を集音するマイクとが一体型である携帯端末装置に含まれるコンピュータに、前記楽曲の歌詞テロップを表示するテロップ表示モードと、前記楽曲を歌唱する前記ユーザの歌唱を採点する採点モードとの何れか一方のモードを決定する決定ステップと、前記決定ステップにより前記テロップ表示モードが決定された場合、前記楽曲の歌詞テロップを表示画面に表示させ、前記決定ステップにより前記採点モードが決定された場合、前記携帯端末装置に一体型で配置された前記マイクの位置を示すマイク情報を表示画面に表示させる表示ステップと、を実行させることを特徴とする。
【０００７】
請求項２に記載の発明は、請求項１に記載の携帯端末装置用プログラムにおいて、前記マイクは前記表示画面に沿って、前記表示画面の一端に配置され、前記採点モードが決定された場合、前記マイク情報は、前記マイクの集音部と前記マイクの持ち手部を表すマイク画像として前記表示画面に表示され、前記表示ステップは、前記マイク画像を前記表示画面に表示させる場合に、前記表示画面の一端方向で且つ前記マイクの配置方向に前記マイクの集音部を表す画像を表示させ、前記一端方向とは反対の他端方向に前記マイクの持ち手部を表す画像を表示させることを特徴とする。
【０００８】
請求項３に記載の発明は、請求項２に記載の携帯端末装置用プログラムにおいて、前記携帯端末装置は、重力センサまたは加速度センサを備え、前記携帯端末装置は、前記重力センサまたは前記加速度センサによる検出結果に基づいて、前記携帯端末装置の表示画面に表示させる画像を回転させる回転機能を有し、前記決定ステップにより前記採点モードが決定された場合、前記回転機能をロックするステップを前記コンピュータにさらに実行させ、前記表示ステップは、前記決定ステップにより前記テロップ表示モードが決定された場合、前記回転機能により回転可能に前記歌詞テロップを表示画面に表示させ、前記決定ステップにより前記採点モードが決定された場合、前記回転機能がロックされた状態で、前記マイク画像を表示画面に表示させることを特徴とする。
【０００９】
請求項４に記載の発明は、請求項１から３のいずれか一項に記載の携帯端末装置用プログラムにおいて、前記採点モードが決定された場合、前記マイクにより集音された声に基づく採点状況に応じて、前記携帯端末装置に備えられる振動発生部に振動を発生させるステップと、を前記コンピュータに実行させることを特徴とする。
【００１０】
請求項５に記載の発明は、請求項１から３のいずれか一項に記載の携帯端末装置用プログラムにおいて、前記採点モードが決定された場合、前記マイクにより集音された声の音量が閾値より小さいか否かを判定する第２判定ステップと、前記第２判定ステップにより閾値より小さいと判定された場合に、前記マイクにユーザの口元を近づけることを促す情報を前記表示画面に表示させるステップと、を前記コンピュータに実行させることを特徴とする。
【００１１】
請求項６に記載の発明は、請求項１から３のいずれか一項に記載の携帯端末装置用プログラムにおいて、前記採点モードが決定された場合、前記マイクにより集音された声の大小を判定する第１判定ステップと、前記携帯端末装置とは別体であるイヤホン付マイクまたはヘッドホン付マイクが、ケーブルまたは無線通信により前記携帯端末装置に電気的に接続されているか否かを判定する第３判定ステップと、前記イヤホン付マイクまたはヘッドホン付マイクにより集音された声の大小を判定する第４判定ステップと、前記第３判定ステップにより前記イヤホン付マイクまたはヘッドホン付マイクが接続されていると判定された場合に、前記第４判定ステップによる判定結果に応じて、前記ユーザに声を大きく又は小さくすることを促す情報を前記表示画面に表示させ、前記第３判定ステップにより前記イヤホン付マイクまたはヘッドホン付マイクが接続されていないと判定された場合に、前記第１判定ステップによる判定結果に応じて、前記携帯端末装置に備えられる振動発生部に振動を発生させるステップと、を前記コンピュータに実行させることを特徴とする。
【００１２】
請求項７に記載の発明は、楽曲を再生する再生処理部と、声を集音するマイクとが一体型である携帯端末装置において、前記楽曲の歌詞テロップを表示するテロップ表示モードと、前記楽曲を歌唱する前記ユーザの歌唱を採点する採点モードと、を切り替える切替制御手段と、前記テロップ表示モードと、前記採点モードとの何れかのモードを決定する決定手段と、前記決定手段により前記テロップ表示モードが決定された場合、前記楽曲の歌詞テロップを表示画面に表示させ、前記決定手段により前記採点モードが決定された場合、前記携帯端末装置に一体型で配置された前記マイクの位置を示すマイク情報を表示画面に表示させる表示制御手段と、を備えることを特徴とする。
【００１３】
請求項８に記載の発明は、楽曲を再生する再生処理部と、声を集音するマイクとが一体型である携帯端末装置により実行される表示方法であって、前記楽曲の歌詞テロップを表示するテロップ表示モードと、前記楽曲を歌唱する前記ユーザの歌唱を採点する採点モードとの何れか一方のモードを決定するステップと、前記決定ステップにより前記テロップ表示モードが決定された場合、前記楽曲の歌詞テロップを表示画面に表示させ、前記決定ステップにより前記採点モードが決定された場合、前記携帯端末装置に一体型で配置された前記マイクの位置を示すマイク情報を表示画面に表示させるステップと、を含むことを特徴とする。
【発明の効果】
【００１４】
請求項１、６、７に記載の発明によれば、ユーザが楽曲の歌詞テロップを見ながら歌唱したい場合と、歌唱を採点させたい場合とで使い分けることできる。そのため、採点モードの場合に、ユーザによる歌唱を正確に採点することが可能となる。
【００１５】
請求項２に記載の発明によれば、採点モードの場合に、携帯端末装置がユーザに誤った向きで持たれることを防止できる。
【００１６】
請求項３に記載の発明によれば、ユーザが携帯端末装置の向きを変えても、マイクの集音部を表す画像をマイクの配置方向に固定して表示させることができる。
【００１７】
請求項４に記載の発明によれば、採点モードで、ユーザの声が大きい場合、或いは小さい場合に、その旨を振動でユーザに伝えることができる。
【００１８】
請求項５に記載の発明によれば、採点モードで、ユーザの声が小さい場合に、マイクにユーザの口元を近づけることをユーザに表示で伝えることができる。
【図面の簡単な説明】
【００１９】
【図１】（Ａ）は、本実施形態の携帯端末装置Ｔの概要構成例を示すブロック図である。（Ｂ）は、携帯端末装置Ｔにおける表示画面Ｄとマイク４との位置関係を示す図である。
【図２】本実施形態の携帯端末装置Ｔの制御部１１における処理の一例を示すフローチャートである。
【図３】（Ａ）は、図２のステップＳ８における採点モードに応じた処理の詳細を示すフローチャートである。（Ｂ）は、図２のステップＳ１０におけるテロップ表示モードに応じた処理の詳細を示すフローチャートである。
【図４】携帯端末装置Ｔの表示画面Ｄにおける表示例を示す図である。
【発明を実施するための形態】
【００２０】
以下、本発明の実施形態を図面に基づいて説明する。以下に説明する実施形態は、楽曲を再生する再生処理部と、ユーザの声を集音するマイクとが一体型である携帯端末装置に対して本発明を適用した場合の実施形態である。
【００２１】
［１．携帯端末装置Ｔの構成及び機能］
始めに、図１を参照して、本発明の一実施形態の携帯端末装置Ｔの構成について説明する。図１（Ａ）は、本実施形態の携帯端末装置Ｔの概要構成例を示すブロック図である。図１（Ｂ）は、携帯端末装置Ｔにおける表示画面Ｄとマイク４との位置関係を示す図である。図１（Ａ）に示すように、携帯端末装置Ｔは、記憶部１、再生処理部２、スピーカ３、マイク４、表示処理部５、表示部６、重力センサ７、振動発生部８、操作部９、携帯無線通信部１０、及び制御部１１等を備えて構成される。これらの各構成要素は、携帯端末装置Ｔの筐体に一体型で配置されている。また、図示しないが、携帯端末装置Ｔには、イヤホン付マイクまたはヘッドホン付マイク用の接続端子が設けられている。携帯端末装置Ｔには、携帯端末装置Ｔとは別体であるイヤホン付マイクまたはヘッドホン付マイクが上記接続端子及びケーブルにより電気的に接続可能になっている。なお、携帯端末装置Ｔに、例えばBluetooth（登録商標）等の近距離無線通信規格に準拠した通信機能が備えられる場合がある。この場合、携帯端末装置Ｔには、イヤホン付マイクまたはヘッドホン付マイクが無線通信により電気的に接続可能になっている。なお、携帯端末装置Ｔの例としては、スマートフォン、携帯電話機、又はタブレット等が挙げられる。
【００２２】
記憶部１は、例えば、不揮発性半導体メモリ等により構成される。記憶部１には、ＯＳ（Operating System）及びカラオケ用アプリケーションプログラム等が記憶されている。カラオケ用アプリケーションプログラムには、本発明の携帯端末装置用プログラムが含まれる。この携帯端末装置用プログラムは、コンピュータとしての制御部１１に、本発明の処理を実行させる。この処理の詳細は後述する。なお、カラオケ用アプリケーションプログラムは、例えば、所定のサーバからネットワークＮＷを介してダウンロードされる。或いは、カラオケ用アプリケーションプログラムは、ＣＤ−ＲＯＭ等の記録媒体に記録されてドライブを介して読み込まれるようにしてもよい。
【００２３】
また、記憶部１には、カラオケ用の楽曲の音声データ、背景画像データ、及び歌詞データが対応付けられて記憶される。音声データは、例えば、楽曲の伴奏音のデータである。音声データは、例えばＭＰ３（MPEG Audio Layer-3）データ、またはＭＩＤＩ（Musical Instrument Digital Interface）により構成される。また、楽曲の音声データは、楽曲配信サーバＳによりストリーミング配信されても良い。また、歌詞データも、楽曲配信サーバＳによりストリーミング配信されても良い。この音声データに基づいて楽曲の再生が行われる。背景画像データは、楽曲の再生中に表示される背景静止画像又は背景動画像のデータである。また、歌詞データは、楽曲の再生中に表示される歌詞テロップのデータである。なお、背景画像データは楽曲によっては記憶されない場合もある。
【００２４】
更に、記憶部１には、マイク画像データが記憶される。マイク画像データは、マイクの集音部とマイクの持ち手部を表すマイク画像のデータである。マイクの集音部を表す画像と、マイクの持ち手部を表す画像とは一つの画像データとして構成される。或いは、マイクの集音部を表す画像のデータと、マイクの持ち手部を表す画像のデータとが分かれていてもよい。
【００２５】
再生処理部２は、制御部１１からの制御指令に応じて、例えば、記憶部１に記憶された楽曲の音声データを読み出しデコードする。そして、再生処理部２は、デコードされた音声データをアナログ音声信号に変換した後、スピーカ３に出力して楽曲を再生する。なお、イヤホン付マイクまたはヘッドホン付マイクが、ケーブルまたは無線通信により携帯端末装置Ｔに電気的に接続されている場合がある。この場合、再生処理部２は、アナログ音声信号をスピーカ３に代えて、イヤホン付マイクまたはヘッドホン付マイクに備えられるスピーカに出力して楽曲を再生する。
【００２６】
マイク４は、携帯端末装置Ｔのユーザの声を集音する。マイク４により集音された声は音声信号として制御部１１に入力される。また、図１（Ｂ）に示すように、マイク４は、表示部６における表示画面Ｄに沿って、表示画面Ｄの一端に、携帯端末装置Ｔに一体型で配置されている。なお、イヤホン付マイクまたはヘッドホン付マイクが、ケーブルまたは無線通信により携帯端末装置Ｔに電気的に接続されている場合がある。この場合、マイク４に代えて、イヤホン付マイクまたはヘッドホン付マイクにより集音された声が音声信号として制御部１１に入力される。
【００２７】
表示処理部５は、制御部１１からの制御指令に応じて、例えば、記憶部１に記憶された歌詞データに基づいて楽曲の歌詞テロップを表示部６における表示画面Ｄに表示させる。なお、背景画像データが記憶部１に記憶されている場合がある。この場合、表示処理部５は、背景画像データ及び歌詞データを読み出して背景画像上に歌詞テロップを重畳して表示画面Ｄに表示させる。なお、楽曲の再生と歌詞テロップの描画は制御部１１により同期するように制御される。
【００２８】
重力センサ７は、重力の作用する方向への加速度を検出し、その加速度に応じた傾き信号を制御部１１へ出力する。この傾き信号は、携帯端末装置Ｔの傾き状態に応じて電圧が変化する電気信号である。重力センサ７は、例えば３軸加速度センサにより構成される。
【００２９】
振動発生部８は、制御部１１からの制御指令に応じて、モータにより振動を発生させる。発生した振動は携帯端末装置Ｔを携帯するユーザへ伝えられる。振動発生部８は、例えば、携帯端末装置Ｔのバイブレーション機能である。
【００３０】
操作部９は、携帯端末装置Ｔのユーザからの指示を受け付け、この指示に応じた信号を制御部１１へ出力する。なお、操作部９は、表示部６における表示画面Ｄ上に形成されたタッチパネル方式の操作部であってもよい。
【００３１】
携帯無線通信部１０は、携帯基地局Ｂを介してネットワークＮＷに接続可能になっている。ネットワークＮＷは、例えば、インターネット、携帯通信網、及びゲートウェイ等により構成される。ネットワークＮＷには、楽曲配信サーバＳが接続されている。そして、携帯端末装置Ｔは、携帯無線通信部１０により、携帯基地局Ｂ及びネットワークＮＷを介して楽曲配信サーバＳへ接続することができる。楽曲配信サーバＳには、カラオケ用の楽曲の音声データ、背景画像データ、及び歌詞データが蓄積されている。楽曲配信サーバＳは、携帯端末装置Ｔからの要求に応じて、楽曲の音声データ、背景画像データ、及び歌詞データを配信する。
【００３２】
制御部１１は、ＣＰＵ（Central Processing Unit）、ＲＯＭ（Read Only Memory）、及びＲＡＭ（Random Access Memory）等により構成され、携帯端末装置Ｔの構成要素を制御する。制御部１１は、本発明における切替制御手段、決定手段、及び表示制御手段等の一例である。また、制御部１１は、重力センサ７による検出結果に基づいて表示画面Ｄの表示内容を回転させる回転機能を有する。具体的には、制御部１１は、重力センサ７からの傾き信号に基づき携帯端末装置Ｔの傾きを検出する。携帯端末装置Ｔの傾きの検出は、画面の縦横検出ともいう。そして、制御部１１は、携帯端末装置Ｔの傾きに応じて表示画面Ｄの表示内容を少なくとも９０度回転させる。なお、この回転機能は、例えばユーザによる操作部９からの指示に応じて“使用”または“ロック”に設定可能になっている。
【００３３】
更に、制御部１１は、カラオケ用アプリケーションプログラムにしたがって、モード切替制御、楽曲の再生制御、歌詞テロップ等の表示制御、及びユーザの歌唱の採点計算等を行う。ここで、モード切替制御とは、楽曲の歌詞テロップを表示するテロップ表示モードと、楽曲を歌唱するユーザの歌唱を採点する採点モードと、を切り替える制御である。このモード切替制御は、例えばユーザによる操作部９からの指示に応じて行われる。また、ユーザの歌唱の採点計算では、マイク４、イヤホン付マイクまたはヘッドホン付マイクからの音声信号から、例えば、音程、声量、テンポ等の歌唱データが抽出される。そして、抽出された歌唱データと、楽曲の旋律等の基準データとが比較されることにより採点が行われる。また、このような採点は、例えば予め設定された複数の採点区間毎に行われる。そして、採点区間毎の採点結果の平均が総合採点結果として算出される。なお、歌唱の採点計算については、公知の様々の技術を適用可能であるので、これ以上の詳しい説明は省略する。
【００３４】
［２．携帯端末装置Ｔにおける動作］
次に、図２乃至図４を参照して、本実施形態の携帯端末装置Ｔの動作について説明する。図２は、本実施形態の携帯端末装置Ｔの制御部１１における処理の一例を示すフローチャートである。図３（Ａ）は、図２のステップＳ８における採点モードに応じた処理の詳細を示すフローチャートである。図３（Ｂ）は、図２のステップＳ１０におけるテロップ表示モードに応じた処理の詳細を示すフローチャートである。図４は、携帯端末装置Ｔの表示画面Ｄにおける表示例を示す図である。
【００３５】
図２に示す処理は、例えば、携帯端末装置Ｔのカラオケ用アプリケーションプログラムが起動することにより開始される。なお、カラオケ用アプリケーションプログラムの起動時には、上記回転機能が“使用”に設定されているものとする。また、この時、カラオケ用アプリケーションプログラムにより、例えば、テロップ表示モードが初期設定される。
【００３６】
このテロップ表示モードの設定は、例えば記憶部１に設けられたモード設定領域に、テロップ表示モードを示す情報が記憶されることで行われる。
【００３７】
図２に示す処理が開始されると、制御部１１は、モード切替指示があったか否かを判定する（ステップＳ１）。例えば、ユーザが歌唱の採点機能を望む場合、操作部９からモード切替が指示される。そして、制御部１１は、モード切替指示があったと判定した場合には（ステップＳ１：ＹＥＳ）、モード切替制御処理を実行する（ステップＳ２）。
【００３８】
ステップＳ２のモード切替制御処理では、モード設定領域に記憶されているテロップ表示モードを示す情報に代えて、採点モードを示す情報が記憶される。これにより、テロップ表示モードの設定から採点モードの設定に変更される。一方、採点モードが設定されている場合において、モード切替指示があると、採点モードの設定からテロップ表示モードの設定に変更される。
【００３９】
一方、制御部１１は、モード切替指示がないと判定した場合には（ステップＳ１：ＮＯ）、楽曲の再生指示があったか否かを判定する（ステップＳ３）。例えば、ステップＳ３では、ユーザにより操作部９から所望の楽曲が選曲され、再生指示が行われる。そして、制御部１１は、再生指示があったと判定した場合には（ステップＳ３：ＹＥＳ）、ステップＳ５へ進む。一方、制御部１１は、再生指示がないと判定した場合には（ステップＳ３：ＮＯ）、プログラムの終了指示があったか否かを判定する（ステップＳ４）。例えば、ステップＳ４では、ユーザが操作部９からカラオケ用アプリケーションプログラムの終了指示を行う。そして、制御部１１は、プログラムの終了指示があったと判定した場合には（ステップＳ４：ＹＥＳ）、図２に示す処理を終了する。一方、制御部１１は、プログラムの終了指示がないと判定した場合には（ステップＳ４：ＮＯ）、ステップＳ１に戻る。
【００４０】
ステップＳ５では、制御部１１は、ユーザにより選曲された楽曲の再生制御処理を開始する。再生制御処理では、制御部１１から再生処理部２へ制御指令が出力され、楽曲が再生される。なお、再生制御処理は、ステップＳ７の後とステップＳ９の後に開始されるように構成してもよい。例えば、再生制御処理は、ステップＳ８２とＳ８３の間で開始されてもよい。また、再生制御処理は、ステップＳ１０１の直前に開始されてもよい。
【００４１】
次いで、制御部１１は、例えばモード設定領域を参照して、採点モードが設定されているか否かを判定する（ステップＳ６）。そして、制御部１１は、採点モードが設定されていると判定した場合には（ステップＳ６：ＹＥＳ）、採点モードを決定し（ステップＳ７）、ステップＳ８へ進む。一方、制御部１１は、採点モードが設定されていないと判定した場合には（ステップＳ６：ＮＯ）、テロップ表示モードを決定し（ステップＳ９）、ステップＳ１０へ進む。
【００４２】
ステップＳ８に示す採点モードに応じた処理では、図３（Ａ）に示すように、制御部１１は、上記回転機能をロックに設定する（ステップＳ８１）。次いで、制御部１１は、携帯端末装置Ｔに一体型で配置されたマイク４の位置を示すマイク情報を表示部６における表示画面Ｄに表示させる（ステップＳ８２）。このマイク情報は、例えばマイク４が配置された位置を指し示す画像や文字で表される。図４（Ａ）には、マイク情報としてマイク画像Ｍを表示する例を示している。このようなマイク画像Ｍは、記憶部１に記憶されているマイク画像データに基づき、回転機能がロックされた状態で表示される。この場合、制御部１１は、表示画面Ｄの一端方向で且つマイク４の配置方向にマイクの集音部を表す画像Ｍ１を表示させ、一端方向とは反対の他端方向にマイクの持ち手部を表す画像Ｍ２を表示させる。これは、例えばマイク４の配置方向にマイクの集音部を表す画像Ｍ１が表示されるようにマイク画像Ｍの向きを設定しておけばよい。或いは、マイク画像Ｍにおける画像Ｍ１の位置座標をマイク画像データに予め付加しておいてもよい。この場合、制御部１１は、マイク画像データに付加された位置座標がマイク４の配置方向に位置するようにマイク画像Ｍの向きを調整することになる。このようにマイク画像Ｍを表示することで、ユーザは、携帯端末装置Ｔを、例えばカラオケルームに置かれているような通常のマイクと同じように握って歌唱することができる。また、ユーザは、携帯端末装置Ｔに一体型で配置されたマイク４の位置を一目で把握することができる。また、携帯端末装置Ｔがユーザに誤った向きで持たれることを防止できる。そのため、ユーザの口元がマイク４から離れることを低減することができる。その結果、ユーザの歌唱の採点計算を精度良く実行させることが可能となる。また、上記ステップＳ８１の処理により回転機能がロックされた状態で、マイク画像Ｍが表示画面Ｄに表示される。そのため、図４（Ａ）に示すように、携帯端末装置Ｔの向きを変えても、マイクの集音部を表す画像Ｍ１をマイク４の配置方向に固定して表示させることができる。
【００４３】
次いで、制御部１１は、マイク４からの音声信号に基づいてユーザの歌唱の採点計算を開始する（ステップＳ８３）。次いで、制御部１１は、採点ができているか否かを判定する（ステップＳ８４）。例えば、採点計算により算出された点数が所定の点数範囲内に入らない場合に採点ができていないと判定される。そして、制御部１１は、採点ができていないと判定した場合には（ステップＳ８４：ＮＯ）、ステップＳ８５に進む。一方、制御部１１は、採点ができていると判定した場合には（ステップＳ８４：ＹＥＳ）、ステップＳ８９に進む。
【００４４】
ステップＳ８５では、制御部１１は、イヤホン付マイクまたはヘッドホン付マイクがケーブルまたは無線通信により携帯端末装置Ｔに電気的に接続されているか否かを判定する。そして、イヤホン付マイクまたはヘッドホン付マイクが携帯端末装置Ｔに電気的に接続されていないと判定された場合には（ステップＳ８５：ＮＯ）、ステップＳ８６へ進む。一方、イヤホン付マイクまたはヘッドホン付マイクが携帯端末装置Ｔに電気的に接続されていると判定された場合には（ステップＳ８５：ＹＥＳ）、ステップＳ９０へ進む。なお、イヤホン付マイクまたはヘッドホン付マイクが携帯端末装置Ｔに電気的に接続されている場合、ユーザはマイク４を使用しない。そのため、制御部１１は、上記回転機能を使用に設定し、歌詞テロップの表示制御処理を行うように構成してもよい。
【００４５】
ステップＳ８６では、制御部１１は、マイク４からの音声信号に基づいて、マイク４により集音されたユーザの声の大小を判定する。例えば、制御部１１は、集音されたユーザの声の音量が予め定められた上限閾値より大きいか否かを判定する。そして、制御部１１は、集音されたユーザの声の音量が上限閾値より大きいと判定した場合には（ステップＳ８６：ＹＥＳ）、振動発生部８へ振動を発生させる制御指令を出力する（ステップＳ８７）。つまり、制御部１１は、ステップＳ８６の判定結果に応じて振動発生部８に振動を発生させる。これにより、例えばユーザの声が大きすぎるような場合、その旨を、携帯端末装置Ｔからユーザへ振動で伝えることができる。そのため、ユーザは、ただちに声の大きさや、口元とマイク４の距離を調整することができる。なお、上記ステップＳ８６において、制御部１１は、集音されたユーザの声の音量が予め定められた下限閾値より小さいか否か判定するように構成してもよい。この場合、制御部１１は、集音されたユーザの声の音量が下限閾値より小さいと判定すると、振動発生部８へ振動を発生させる制御指令を出力することになる。これにより、例えばユーザの声が小さすぎるような場合、その旨を、携帯端末装置Ｔからユーザへ振動で伝えることができる。その結果、ユーザの歌唱を正確に採点することができる。なお、上記ステップＳ８６で、ユーザの声の音量が上限閾値より大きいと判定された場合に、ユーザに声を小さくすることを促す情報が表示画面Ｄに表示されるように構成してもよい。或いは、この場合、マイク４にユーザの口元を遠ざけることを促す情報が表示画面Ｄに表示されるように構成してもよい。また、上記ステップＳ８６で、ユーザの声の音量が下限閾値より小さいと判定された場合に、ユーザに声を大きくすることを促す情報が表示画面Ｄに表示されるように構成してもよい。或いは、この場合、マイク４にユーザの口元を近づけることを促す情報が表示画面Ｄに表示されるように構成してもよい。
【００４６】
次いで、制御部１１は、楽曲の再生を終了するか否かを判定する（ステップＳ８８）。例えば、楽曲が最後まで再生された場合、楽曲の再生を終了すると判定される。或いは、例えば、ユーザが操作部９から再生停止指示を行った場合、楽曲の再生を終了すると判定される。そして、制御部１１は、楽曲の再生を終了すると判定した場合には（ステップＳ８８：ＹＥＳ）、歌唱の採点計算を終了し、ステップＳ１に戻る。一方、制御部１１は、楽曲の再生を終了しないと判定した場合には（ステップＳ８８：ＮＯ）、ステップＳ８６に戻る。
【００４７】
一方、上記ステップＳ８６において、制御部１１は、集音されたユーザの声の音量が予め定められた上限閾値より大きくないと判定した場合または上限閾値より小さくないと判定した場合には（ステップＳ８６：ＮＯ）、ステップＳ８９へ進む。ステップＳ８９では、制御部１１は、楽曲の再生を終了するか否かを判定する。そして、制御部１１は、楽曲の再生を終了すると判定した場合には（ステップＳ８９：ＹＥＳ）、歌唱の採点計算を終了し、ステップＳ１に戻る。一方、制御部１１は、楽曲の再生を終了しないと判定した場合には（ステップＳ８９：ＮＯ）、ステップＳ８４に戻る。
【００４８】
なお、上記ステップＳ８３の採点計算の開始後、制御部１１は、声に基づく採点状況に応じて、振動発生部８に振動を発生させるように構成してもよい。例えば、制御部１１は、採点計算の開始から途中までの採点結果が、所定の点数以上または以下である場合に、振動発生部８へ振動を発生させるように構成してもよい。これにより、ユーザは、歌唱途中における採点結果が高いのかまたは低いのかを振動で把握することができる。
【００４９】
ステップＳ９０では、制御部１１は、イヤホン付マイクまたはヘッドホン付マイクからの音声信号に基づいて、集音されたユーザの声の大小を判定する。そして、制御部１１は、集音されたユーザの声の音量が予め定められた下限閾値より小さいと判定した場合には（ステップＳ９０：小さい）、ステップＳ９１へ進む。ステップＳ９１では、制御部１１は、ユーザに声を大きくすることを促す情報を表示部６における表示画面Ｄに表示させ、ステップＳ９４へ進む。つまり、制御部１１は、上記ステップＳ９０の判定結果に応じて、ユーザに声を大きくすることを促す情報を表示画面Ｄに表示させる。ここで、ユーザに声を大きくすることを促す情報として、例えば図４（Ｂ）に示すように、ユーザが声を大きくする必要があると一目で把握できる画像Ｉ１を表示するように構成してもよい。なお、上記ステップＳ９０で、ユーザの声の音量が下限閾値より小さいと判定された場合に、例えばイヤホン付マイクにユーザの口元を近づけることを促す情報が表示画面Ｄに表示されるように構成してもよい。
【００５０】
一方、制御部１１は、集音されたユーザの声の音量が予め定められた上限閾値より大きいと判定した場合には（ステップＳ９０：大きい）、ステップＳ９２へ進む。ステップＳ９２では、制御部１１は、ユーザに声を小さくすることを促す情報を表示部６における表示画面Ｄに表示させ、ステップＳ９３へ進む。つまり、制御部１１は、上記ステップＳ９０の判定結果に応じて、ユーザに声を小さくすることを促す情報を表示画面Ｄに表示させる。ここで、ユーザに声を小さくすることを促す情報として、例えば図４（Ｂ）に示すように、ユーザが声を小さくする必要があると一目で把握できる画像Ｉ２を表示するように構成してもよい。なお、上記ステップＳ９０で、ユーザの声の音量が上限閾値より大きいと判定された場合に、例えばイヤホン付マイクにユーザの口元を遠ざけることを促す情報が表示画面Ｄに表示されるように構成してもよい。
【００５１】
ステップＳ９３では、制御部１１は、上記ステップＳ８７と同様、振動発生部８へ振動を発生させる制御指令を出力する。つまり、制御部１１は、上記マイクにより集音された声の状況に応じて、振動発生部に振動を発生させる。この状況には、声の大小の状況と、声に基づく採点状況が含まれる。次いで、ステップＳ９４では、制御部１１は、楽曲の再生を終了するか否かを判定する。そして、制御部１１は、楽曲の再生を終了すると判定した場合には（ステップＳ９４：ＹＥＳ）、歌唱の採点計算を終了し、ステップＳ１に戻る。一方、制御部１１は、楽曲の再生を終了しないと判定した場合には（ステップＳ９４：ＮＯ）、ステップＳ９０に戻る。
【００５２】
一方、制御部１１は、集音されたユーザの声の音量が下限閾値以上且つ上限閾値以下であると判定した場合には（ステップＳ９０：丁度）、ステップＳ９５へ進む。ステップＳ９５では、制御部１１は、声の大きさが丁度良いことを示す情報を表示部６における表示画面Ｄに表示させ、ステップＳ８９へ移行する。ここで、声の大きさが丁度良いことを示す情報として、例えば図４（Ｂ）に示すように、声の大きさが丁度良いことを示す画像Ｉ３を表示するように構成してもよい。
【００５３】
一方、ステップＳ１０に示すテロップ表示モードに応じた処理では、図３（Ｂ）に示すように、制御部１１は、歌詞テロップの表示制御処理を開始する（ステップＳ１０１）。表示制御処理では、制御部１１から表示処理部５へ制御指令が出力され、楽曲の再生と同期がとられながら歌詞テロップが表示画面Ｄに表示される。また、上記回転機能により回転可能に歌詞テロップが表示画面Ｄに表示される。
【００５４】
次いで、制御部１１は、重力センサ７からの傾き信号に基づき携帯端末装置Ｔの傾きを検出し、例えば垂直軸を基準とする携帯端末装置Ｔの傾斜角が所定角度になったか否かを判定する（ステップＳ１０２）。そして、制御部１１は、携帯端末装置Ｔの傾斜角が所定角度になったと判定した場合には（ステップＳ１０２：ＹＥＳ）、表示画面Ｄに表示された歌詞テロップを含む表示内容を少なくとも９０度回転させる（ステップＳ１０３）。これにより、ユーザが携帯端末装置Ｔを回転させた、または携帯端末装置Ｔの向きを変えたとしても、例えば図４（Ｃ）に示すように、表示画面Ｄに表示された歌詞テロップ中に含まれる文字は、常に垂直方向における上下が変わることなく表示されることになる。一方、制御部１１は、携帯端末装置Ｔの傾斜角が所定角度になっていないと判定した場合には（ステップＳ１０２：ＮＯ）、ステップＳ１０４へ進む。
【００５５】
次いで、制御部１１は、楽曲の再生を終了するか否かを判定する（ステップＳ１０４）。そして、制御部１１は、楽曲の再生を終了すると判定した場合には（ステップＳ１０４：ＹＥＳ）、歌詞テロップの表示制御処理を終了し、ステップＳ１に戻る。一方、制御部１１は、楽曲の再生を終了しないと判定した場合には（ステップＳ１０４：ＮＯ）、ステップＳ１０２に戻る。
【００５６】
以上説明したように、上記実施形態によれば、テロップ表示モードと採点モードとを切替可能とし、テロップ表示モードの場合、楽曲の歌詞テロップを表示画面に表示させ、採点モードの場合、マイクの位置を示すマイク情報を表示画面に表示させるように構成した。そのため、ユーザが楽曲の歌詞テロップを見ながら歌唱したい場合と、歌唱を採点させたい場合とで使い分けることができ、ユーザの歌唱を正確に採点することができる。
【符号の説明】
【００５７】
１  記憶部
２  再生処理部
３  スピーカ
４  マイク
５  表示処理部
６  表示部
７  重力センサ
８  振動発生部
９  操作部
１０  携帯無線通信部
１１  制御部
Ｔ  携帯端末装置
【図１】
0005724849.tif 000002
【図２】
0005724849.tif 000003
【図３】
0005724849.tif 000004
【図４】
0005724849.tif 000005